(57)【要約】      （修正有）【課題】弾性変形して衝撃を吸収し、保護対象の表面が汚れ難い緩衝材を提供する。【解決手段】緩衝材１は、保護対象に粘着する粘着面１１ａを有する緩衝層１１と、緩衝層１１の粘着面１１ａとは反対側の非粘着面１１ｂに形成された粘着防止層１２と、を備えている。この緩衝材１をカップホルダーに使用すれば、緩衝材１が変形してコップを確実に把持できる。【選択図】図１
0003199960.tif 000002
【実用新案登録請求の範囲】
【請求項１】
弾性変形によって衝撃を吸収し、粘着性を有するエラストマーからなる緩衝層と、
緩衝層の少なくとも一面に形成された粘着防止層と、
を備える緩衝材。
【請求項２】
粘着防止層が、ベビーパウダーから形成されている請求項１に記載の緩衝材。
【請求項３】
表面と裏面とを重ね合わせて押し付ければ、表面と裏面とを着脱自在に貼り付けできる帯状の面ファスナーと、
帯状の面ファスナーの一面に固定された取手と、
帯状の面ファスナーの取手が固定された面とは反対側の面に、粘着された請求項１又は請求項２に記載の緩衝材と、
を備えるカップホルダー。
【考案の詳細な説明】
【技術分野】
【０００１】
本考案は、弾性変形によって衝撃を吸収するとともに、表面に染料や汚れが粘着し難い緩衝材に関する。
【背景技術】
【０００２】
地震の揺れによる振動が、液晶モニタなどの家電製品やタンスなどの家具を倒壊することを防ぐため、家電製品や家具などとその設置面との間に配置される耐震マットが既に開発され、使用されている。なお、この耐震マットは、弾性変形によって揺れや衝撃を吸収し、粘着性を有するエラストマーを平板上に加工したものである（特許文献１を参照。）。
【０００３】
一方、人と関わる社会の様々な場面で、人体に力が掛かって、人体の変形や衝撃による痛みなどの影響を与えている。例えば、ジェットコースター等の遊具の椅子に、児童を座らせて安全のため固定すると、椅子の背面の形状が児童の背中に残ってしまうことがある。また、リュウマチ等の関節炎の患者が、階段や床を歩くときに階段の先端部や手摺に体をぶつけたり、タンスやドアの角にぶつけて痛みを生じることがある。
【０００４】
そこで、これらの変形や痛みを防ぐため、耐震マットによって人体と接触する部分を覆い隠し、人体と直接接触しないようにすることが考えられている。ただ、耐震マットによって覆われると、耐震マットの粘着性によってその表面に染料や埃が粘着し、見栄えが悪くなるとの問題点があった。
【先行技術文献】
【特許文献】
【０００５】
【特許文献１】特開平１０−１４６２３４号公報
【考案の概要】
【考案が解決しようとする課題】
【０００６】
本考案は、弾性変形して衝撃を吸収し、保護対象の表面が汚れ難い緩衝材を提供することを課題とする。
【課題を解決するための手段】
【０００７】
考案者らは、鋭意検討の結果、耐震マットの一面の粘着性を減じることによって、衝撃を緩衝でき、かつ保護対象の表面を汚さない緩衝材が得られることを見出し、本考案を完成させた。
【０００８】
すなわち、本考案の緩衝材は、弾性変形によって衝撃を吸収し、粘着性を有するエラストマーからなる緩衝層と、緩衝層の少なくとも一面に形成された粘着防止層とを備えている。なお、粘着防止層が、ベビーパウダーから形成されているのが好ましい。
【０００９】
また、本考案のカップホルダーは、表面と裏面とを重ね合わせて押し付ければ、表面と裏面とを着脱自在に貼り付けできる帯状の面ファスナーと、帯状の面ファスナーの一面に固定された取手と、帯状の面ファスナーの取手が固定された面とは反対側の面に、粘着された本考案の緩衝材とを備えるものである。
【考案の効果】
【００１０】
本考案の緩衝材は、緩衝層が弾性変形して衝撃を吸収するとともに、粘着防止層が染料や埃の粘着を防ぐ。そのため、本考案の緩衝材を使用することによって、汚染を考慮せずに、様々な物品に衝撃吸収機能を付与できる。また、本考案の緩衝材をカップホルダーに使用すれば、緩衝材が変形してコップを確実に把持できる。
【図面の簡単な説明】
【００１１】
【図１】図１は、本考案に係る緩衝材の概略図である。
【図２】図２は、本考案の緩衝材を椅子に粘着した様子を示す図である。
【図３】図３は、本考案の緩衝材を階段の手摺及び先端部分に粘着した様子を示す図である。
【図４】図４は、本考案の緩衝材をスリッパの底に粘着した様子を示す図である。
【図５】図５は、本考案に係るカップホルダーの概略図である。
【考案を実施するための形態】
【００１２】
以下、本考案に係る緩衝材、カップホルダー等について、実施形態に基づいてより詳細に説明する。なお、本考案の実用新案登録請求の範囲は、以下の実施形態によって如何なる意味においても制限されない。
【００１３】
１．緩衝材
図１は、本考案に係る緩衝材１の概略図である。この図に示すように、緩衝材１は、保護対象に粘着する粘着面１１ａを有する緩衝層１１と、緩衝層１１の粘着面１１ａとは反対側の非粘着面１１ｂに形成された粘着防止層１２と、を備えている。そこで、緩衝層１１と粘着防止層１２について、以下に詳説する。
【００１４】
なお、図１は、所要の厚さを有する正方形状の緩衝材１を記載しているが、緩衝材１の形状はこれに限定するものではなく、緩衝材１を粘着する保護対象に合わせて、長方形状、楕円形状、円形状などの形状に適宜変更できる。
【００１５】
（１）緩衝層
緩衝層１１は、弾性変形によって衝撃を吸収し、粘着性を有するエラストマーによって構成されている。緩衝層１１に使用するエラストマーとしては、公知のゴム及び熱可塑性エラストマーであれば特に制限が使用できる。具体的には、天然ゴム、ジエン系重合体ゴム、オレフィン系重合体ゴム、アクリルゴム及びシリコンゴムのようなゴム類、熱可塑性エラストマー及びウレタン樹脂、オレフィン系樹脂が例示できる。
【００１６】
ジエン系重合体ゴムとしては、イソプレン重合体ゴム、スチレン・ブタジエン共重合体ゴム、ブタジエン重合体ゴム、アクリロニトリル・ブタジエン共重合体ゴム、クロロプレン重合体ゴムなどが使用できる。
【００１７】
オレフィン系重合体ゴムとしては、エチレン・プロピレン・ジエン共重合体ゴム、イソブチレン・イソプレン共重合体ゴム、ハロゲン化イソブチレン・イソプレン共重合体ゴム、イソブチレン・ハロゲン化メチルスチレン共重合体ゴム、クロロスルホン化ポリエチレン、イソブチレン重合体ゴム、エチレン・酢酸ビニル共重合体ゴムなどが使用できる。
【００１８】
アクリルゴムとしては、アクリル酸エチルおよび／またはアクリル酸ブチルからなる単量体に、２−クロロエチルビニルエーテル、メチルビニルケトン、アクリル酸、アクリロニトリル、ブタジエンなどの他の単量体の一種または二種以上を少量共重合させてなるアクリルゴムなどが使用できる。
【００１９】
熱可塑性エラストマーとしては、スチレン系、ポリオレフィン系、ポリジエン系、ポリ塩化ビニル系、ポリウレタン系、ポリエステル系、ポリアミド系、フッ素系、シリコン系、アイオノマ系などの各種エラストマーが使用できる。
【００２０】
これらの中でも、価格の安さや着色し易さなどの点から、ポリウレタン系エラストマーが好ましい。
【００２１】
なお、エラストマーには、必要に応じて、粘着増強剤、可塑剤、難燃剤、抗菌剤、光安定剤、着色剤、流動性改良剤、滑剤、ブロッキング防止剤、帯電防止剤などを適量添加でき、これらは１種単独又は２種以上を組み合わせて添加できる。
【００２２】
（２）粘着防止層
粘着防止層１２は、服の染料、糸くずなどが緩衝材１に粘着することを防ぐためのものであり、緩衝層１１の非粘着面１１ｂに、粉体を塗布したり、シート状体を貼りつけて形成する。
【００２３】
粉体としては、小麦粉や片栗粉などの食用の粉体、ベビーパウダー（タルカムパウダー）、タルク、炭酸カルシウム、コーンスターチなどの化粧品用、医薬品用の粉体などが使用できる。中でも、安価で人体に対する安全性が確認されており、緩衝材１が汚れても、洗浄して再使用し易いため、ベビーパウダーが好ましい。
【００２４】
シート状体としては、ポリエチレンやポリプロピレンなどの合成樹脂製フィルム、紙、布地などが使用できる。中でも、洗浄可能で滑り難い布地が好ましい。
【００２５】
（３）保護対象
緩衝材１の保護対象は、特に限定されないが、例えば、硬くて人体と接触するもの、具体的には、家具、家屋の内装、車両や遊具（ジェットコースターなど）が例示できる。
【００２６】
例えば、図２は、緩衝材１を硬質プラスチック製の椅子２に粘着した様子を示す図である。この図に示すように、椅子２の背面２１や座面２２に緩衝材１を粘着すれば、椅子２に着席しても背面２１や座面２２による痛みを感じることがなくなる。なお、粘着防止層１２によって、緩衝材１の粘着力は抑制されているので、着席した人が着ている服の染料や糸くずは緩衝材１に粘着して剥がれない。
【００２７】
また、図３は、緩衝材１を手摺３１や階段３２の先端部分３２ａに粘着した様子を示す図である。この図に示すように、手摺３１や階段の先端部分３２ａに緩衝材１を粘着すれば、階段を上り下りする際に手足に掛かる痛みが和らげられる。なお、使用によって、緩衝材１の粘着防止層１２が汚れた場合には、緩衝材１を手摺３１や先端部分３２ａから剥がして洗浄したのち、粘着防止層１２を再度形成して粘着すれば、再利用できる。
【００２８】
さらに、図４は、緩衝材１をスリッパ４の底面４ａに粘着した様子を示す図である。このうち、図４（ａ）はスリッパ４の側面を示す図であり、図４（ｂ）はスリッパ４の底面を示す図である。
【００２９】
この図に示すように、緩衝材１が底面４ａに粘着しているので、歩行による衝撃を滑ることなく軽減できる。なお、スリッパ４の使用によって、緩衝材１の粘着防止層１２が汚れた場合には、緩衝材１をスリッパ４の底面４ａから剥がして洗浄したのち、粘着防止層１２を再度形成して粘着すれば、緩衝材１を再利用できる。
【００３０】
２．カップホルダー
図５は、本考案に係る緩衝材１を使用するカップホルダー５の概略図である。このうち、図５（ａ）はカップホルダーの表面側を示す図であり、図５（ｂ）はカップホルダーの裏面側を示す図であり、（ｃ）はカップホルダーがコップ６を把持した状態を示す図である。
【００３１】
この図に示すように、カップホルダー５は、帯状の面ファスナー５１の表面５１ａに取手５２をハトメにより固定し、面ファスナー５１の裏面５１ｂに本考案の緩衝材１を複数個粘着したものである。なお、面ファスナー５１は、その表面５１ａと裏面５１ｂとを重ね合わせて押し付ければ、表面５１ａと裏面５１ｂとを着脱自在に貼り付けられる。
【００３２】
このように構成されたカップホルダー５は、面ファスナー５１の裏面５１ｂに粘着された緩衝材１がコップ６と接するように、面ファスナー５１をコップ６に巻きつけて、面ファスナー５１の表面５１ａと裏面５１ｂとを貼り付ければ、緩衝材１が変形してコップ６を隙間なく確実に把持できる。
【００３３】
このようにして、カップホルダー５がコップ６を把持できるので、コップ６の内容物による熱によってコップ７が手で持てない場合であっても、コップ６が滑り落ちることなく、その内容物を確実に飲食できる。
【符号の説明】
【００３４】
１    緩衝材
１１  緩衝層
１２  粘着防止層
【図１】
0003199960.tif 000003
【図２】
0003199960.tif 000004
【図３】
0003199960.tif 000005
【図４】
0003199960.tif 000006
【図５】
0003199960.tif 000007